(57)【要約】      （修正有）【課題】地震の揺れに対する、家具の免震効果を出さしめることで、地震による家具の揺れ、衝撃を緩和し、家具内の物品を大巾に保護する家具衝撃緩和装置を提供する。【解決手段】小型空気入れの先端部の空気出口を、小径穴とし、空気を押し出すためのピストンバルブを先端にもつロット軸に、コイルスプリングを通し空気圧作用及び空気の負圧作用、さらにコイルスプリングの作用を活用することを特徴とする、エアーダンパーを、家具上部と家具設置部の壁との間に自在金具を用いて、取付接続する。【選択図】図１
0003156910.tif 000002
【実用新案登録請求の範囲】
【請求項１】
空気バネ及補助スプリングを有してなる地震による家具の揺れの衝撃を緩和し家具内の物品を大巾に保護するための家具衝撃緩和装置。
【請求項２】
請求項１に係る家具衝撃緩和装置に内蔵され、連動してなる発動機と蓄電池、さらに照明器具をもってする、家内照明装置。
【考案の詳細な説明】
【技術分野】
【０００１】本考案はエアーダンパーによる家具衝撃緩和装置及び連動してなる家内照明装置に関する。
【背景技術】
【０００２】地震による家具倒壊を防ぐための家具と壁とを固定する金具は従来より知られている。
【考案の開示】
【考案が解決しようとする課題】
【０００３】しかしながら家具自体は倒れなくても割れ物を多く収納する食器箪笥などは、家具内の物品が倒壊し更には家具前面ガラス戸を破り床上に飛散する。などの被害は免がれない。
又夜間に大地震が発生し停電してしまった場合家内は完全な闇となる。このため被災状況が不明の中手探りでの移動は大変困難であり危険状能となる。
この様な問題を解決できないなどの欠点があった。
【課題を解決するための手段】
【０００４】本考案は家具と壁とを固定金具ではなくエアーダンパーで接続するエアーダンパーとは一般的な小型空気入れの先端の空気出口を小経穴とすることにより急激に空気を押し出そうと、すれば一瞬空気バネ的作用がロツト部の押し込み又引き伸ばし両方に働く。更に内蔵するコイルスプリングがこの働きを補助する。【０００５】又家具衝撃緩和装置であるエアーダンパーのロツト部の伸縮をロツトに内蔵されたスクリユーウシヤフトにより回転運動に変える。
これにより小型発電機を回し発電された電気を蓄電池に充電せしめる。これを発光ダイオードの照明器具により地震の揺れ終了後も家内を照明し続ける。
これにより上記課題を解決する。
【考案を実施するための最良の形態】
【０００６】本考案のエアーダンパーの基本形は「図１」に示されるように伸縮ロツト（１）の先端部にピストンバルブ（２）が取付てある。
ロツトが縮むとダンパー内の空気は空気出口（３）より外へ出るが空気出口穴が小経のため急速にロツトが縮むと内部の空気は一瞬圧縮されスプリング効果をもたらす。
又逆にロツトがダンパー内より急速に引き出るときは、空気出口穴が小経であるためダンパー内空気は一瞬負圧状態となりロツトの延びに負荷をもたせる。さらにコイルスプリング（４）が縮むことによりロツトの伸びの負荷を増大させる。
「図２」は家具にエアーダンパーを取付けた側面図である。
大地震時に家具はダンパーロツトの伸びにより一旦（Ａ）前に移動するが、エアーダンパー内の空気は負圧となりさらにコイルスプリングの縮み力も加わりダンパーロツトの伸びを一瞬抑制する。（Ｂ）家具底部も少し移動する。
前に移動した次の瞬間（Ｃ）家具は矢印方向に激しく移動し壁に衝突する。これをエアーダンパー内の空気の圧縮効果によりその衝撃を大巾に吸収出来るものである。【０００７】次に「図３」で示されるのはエアーダンパーに内蔵され連動可能とした照明装置の内部図である。
エアーダンパー基本形の本体（５）の前部に発動機（６）充電用電子基盤（７）蓄電池（８）及び発電機の回転速度を増すための歯車（９）を内蔵し更に電源スイツチ（１０）を設けている。
照明器具は本体とは別にあり延長コードにて継がれている。
また、「図４」に示すのはダンパーのロツトの伸縮を回転運動に変換し発電機を回わすための機能である。
回転軸（１１）にはゆるやかなピツチの回転溝がある。又回転ガイドリング（１２）には回転軸（１１）と同じピツチでしかも溝と同じ形状の突起がリング内側に施してある。
そして、この突起ラインが回転軸（１１）の溝と噛み合った状能で回転軸（１１）がガイドリング（１２）に収まっている。
更にこの回転ガイドリング（１２）はエアーダンパーロツト先端部に接続している。
これによりロツトの水平移動がそのまま回転軸（１１）の回転となり歯車を回わし発電機が作動する。
【考案の効果】
【０００８】本考案に係る発電及び照明可能な家具衝撃緩和装置は地震の揺れによる家具倒壊を防ぐのみならず家具内の物品を大巾に保護出来るものである。
さらに夜間の地震により停電が引き起こす危険と不安状能を地震の揺れにより作動する照明装置にてこれを解決する。
【図面の簡単な説明】
【０００９】
【図１】エアーダンパーの内部図である。
【図２】家具にエアーダンパーを取付地震時に家具が動いたときの説明図と照明器具を家具上部に取付た場合の図
【図３】家具衝撃緩和装置である、エアーダンパーに内蔵し連動可能である発電及蓄電装置の内部図である。
【図４】ダンパーロツトの水平移動を回転運動に変える装置図である。
【図５】エアーダンパー取付用ブラケツトを平面図、側面図で表わしている。上下に回転可能であり、ダンパーロツト接続部はロツトが水平方向に回わる。時震時家具の動きが前後、左右、上下に激しく変化し、エアーダンパーに無理な力が加わり損傷を防ぐことが出来る。
【符号の説明】
【００１０】  １  エアーダンパーロツト
２  ピストンバルブ
３  空気出口穴
４  コイルスプリング
５  エアーダンパー本体
６  ダイナモ小型発電機
７  発電した電流を蓄電池に充電するための電子基盤
８  円盤形蓄電池
９  発電機の回転速度を増すための歯車
１０  地震の揺れにより歯車が回転すると接続する電源スイツチ
１１  回転軸
１２  回転ガイドリング
【図１】
0003156910.tif 000003
【図２】
0003156910.tif 000004
【図３】
0003156910.tif 000005
【図４】
0003156910.tif 000006
【図５】
0003156910.tif 000007
【手続補正書】
【提出日】平成21年8月24日(2009.8.24)
【手続補正１】
【補正対象書類名】実用新案登録請求の範囲
【補正対象項目名】全文
【補正方法】変更
【補正の内容】
【実用新案登録請求の範囲】
【請求項１】
地震の揺れによる家具内の物品を保護するための装置であって、小型空気入れの先端部の空気出口を、小経穴とし、空気を押し出すためのピストンバルブを先端にもつロット軸にコイルスプリングを通し空気圧作用及、空気の負圧作用、さらにコイルスプリングの作用を活用することを特徴とする、エアーダンパーを、家具上部と家具設置部の壁との間に、自在金具（ブラケット）を持いて、取付接続することにより、地震の揺れに対する、家具の免震効果を出さしめる、ことで、地震による家具の揺れ、そして衝撃を緩和し家具内の物品を大巾に保護することを目的とする、家具衝撃緩和装置。
【請求項２】
請求項１記載のエアーダンパーのロット部の地震の揺れにより伸縮する、横方向動をエアーダンパーロットに内蔵する、スクリュウシャフト及ガイドリングにより、回転運動に変え、さらに歯車の組合せにより、回転速度を高め、小型発電気を回わし、そして発電された電気を蓄電池に溜める。さらに蓄電池に接続された、電線は、ダンパー外に配線され、その先にＬＥＤ照明器具を接続する。これにより夜間起きる地震による停電時に自動的に家内を照明することを目的とする、エアーダンパーに内蔵され連動してなる、請求項１記載の照明装置付家具衝撃緩和装置。
【手続補正書】
【提出日】平成21年10月22日(2009.10.22)
【手続補正１】
【補正対象書類名】実用新案登録請求の範囲
【補正対象項目名】全文
【補正方法】変更
【補正の内容】
【実用新案登録請求の範囲】
【請求項１】
地震の揺れによる家具内の物品を保護するための装置であって、小型空気入れの先端部の空気出口を、小径穴とし、空気を押し出すためのピストンバルブを先端にもつロット軸に、コイルスプリングを通し空気圧作用及び空気の負圧作用、さらにコイルスプリングの作用を活用することを特徴とする、エアーダンパーを、家具上部と家具設置部の壁との間に自在金具を用いて、取付接続する事により地震の揺れに対する、家具の免震効果を出さしめることで、地震による家具の揺れ、そして衝撃を緩和し、家具内の物品を大巾に保護することを目的とする、家具衝撃緩和装置。
【請求項２】
請求項１記載の家具衝撃緩和装置において、前記エアーダンパーのロット部の地震の揺れにより伸縮する、横方向動をエアーダンパーロットに内蔵する、スクリュウシャフト及びガイドリングにより、回転運動に変え、さらに歯車の組み合わせにより、回転速度を高め、小型発電機を回し、そして、発電された電気を蓄電池に溜め、さらに蓄電池に接続された、電線は、ダンパー外に配線され、その先にＬＥＤ照明器具を接続し、これにより夜間起きる地震による停電時に自動的に家内を照明することを目的とする、エアーダンパーに内蔵され連動してなる、照明装置付家具衝撃緩和装置。